(57)【要約】【課題】シャッタカーテン自体の剛性を変えることなく、シャッタカーテンの閉鎖状態での剛性を増大させ、施錠装置等別途補強装置を設けることなく、シャッタカーテンに外力が作用した場合の撓みの発生を抑制する。【解決手段】シャッタカーテン４をガイドするガイドレール７の所要部分に凸部８を形成した。【選択図】        図１
2004308366.tif 000002
【特許請求の範囲】
【請求項１】
シャッタカーテンをガイドするガイドレールの所要部分に凸部を形成したことを特徴とするシャッタ。
【請求項２】
前記ガイドレールの凸部のガイド溝は外側に向って湾曲している請求項１のシャッタ。
【請求項３】
前記凸部のガイド溝は幅広となっている請求項１のシャッタ。
【発明の詳細な説明】
【０００１】
【発明の属する技術分野】
本発明は建屋等の窓、出入り口等の開口部を開閉するシャッタに関するものである。
【０００２】
【従来の技術】
住宅、或は商店等の出入り口、窓等を開閉する開閉装置としてシャッタが用いられる。
【０００３】
シャッタの一般的な構造について図５、図６により説明する。尚、図中、建屋の壁部等の躯体については省略し、シャッタ１のみ示してある。
【０００４】
開口部の側柱に沿ってガイドレール２が設けられ、開口部のまぐさ（図示せず）に沿ってシャッタケース３が設けられている。該シャッタケース３の内部には巻取シャフト（図示せず）が設けられ、該巻取シャフトに巻設されたシャッタカーテン４が前記ガイドレール２に沿って昇降し、開口部を閉鎖開放可能となっている。尚、図中、５は下枠を示している。
【０００５】
前記シャッタカーテン４はスラット６が屈曲自在に連結された構成となっており、上記した様に巻取シャフトに巻取り、巻取シャフトから繰出し可能となっている。
【０００６】
図７に示される様に、前記シャッタカーテン４が閉鎖状態で外力、例えば風圧が作用すると、該シャッタカーテン４が撓む現象が生じる。該シャッタカーテン４が大きく撓むと該シャッタカーテン４の端部が前記ガイドレール２から外れる虞れがある。上記した様に、前記シャッタカーテン４は前記スラット６を屈曲自在に連結した構成であり、該スラット６単体の剛性を大きくするには限度があり、前記シャッタカーテン４を外力に対して撓まない様な充分な剛性とすることは難しかった。
【０００７】
そこで、本出願人は、閂を容易に着脱可能とした閂施錠装置（特許文献１）を出願している。該特許文献１では、シャッタカーテンの閉鎖時には閂を施錠することで、シャッタカーテンを補強し、強風時のシャッタカーテンの撓みを防止している。
【０００８】
【特許文献１】
特開平９−１８４３３３号公報
【０００９】
【発明が解決しようとする課題】
然し乍ら、住宅の窓用シャッタの様に、屋内側にガラス戸等の戸、ガラス戸用のサッシが設けられる場合は、閂施錠装置は設けることができない。更に、シャッタカーテンを閉鎖する度に、閂を施錠する作業が必要となる等、作業に手間が掛っていた。
【００１０】
本発明は斯かる実情に鑑み、シャッタカーテン自体の剛性を変えることなく、シャッタカーテンの閉鎖状態での剛性を増大させ、施錠装置等別途補強装置を設けることなく、シャッタカーテンに外力が作用した場合の撓みの発生を抑制しようとするものである。
【００１１】
【課題を解決するための手段】
本発明は、シャッタカーテンをガイドするガイドレールの所要部分に凸部を形成したシャッタに係り、又前記ガイドレールの凸部のガイド溝は外側に向って湾曲しているシャッタに係り、更に又前記凸部のガイド溝は幅広となっているシャッタに係るものである。
【００１２】
【発明の実施の形態】
以下、図面を参照しつつ本発明の実施の形態を説明する。
【００１３】
尚、図１、図２は第１の実施の形態を示し、図１、図２中、図５、図６中で示したものと同等のものには同符号を付してある。
【００１４】
開口部の側柱に沿ってガイドレール７が設けられ、開口部のまぐさ（図示せず）に沿ってシャッタケース３が設けられている。該シャッタケース３の内部には巻取シャフト（図示せず）が設けられ、該巻取シャフトに巻設されたシャッタカーテン４が前記ガイドレール７に沿って昇降し、開口部を閉鎖開放する。
【００１５】
該ガイドレール７は中央部８が外側に向って凸状に膨出しており、前記ガイドレール７に形成されるガイド溝９も前記中央部８の形状に沿う様に外側に向って湾曲している。
【００１６】
前記シャッタカーテン４を閉鎖した状態では、該シャッタカーテン４の中央部部分が前記ガイド溝９の形状に倣って外側に向って湾曲している。
【００１７】
前記シャッタカーテン４が閉鎖した状態で、風圧等外力が作用すると、該シャッタカーテンの中央部に作用する垂直方向の荷重は、上下方向に分散される。従って、該シャッタカーテン４の見かけ上の剛性が増大し、該シャッタカーテン４に外力が作用した場合の該シャッタカーテン４の撓みの発生が抑止される。
【００１８】
図３、図４は第２の実施の形態を示している。図３、図４中、図５、図６中で示したものと同等のものには同符号を付してある。該第２の実施の形態は電動式のシャッタに実施されることが好ましい。
【００１９】
該第２の実施の形態では、ガイドレール１１に、外側に向って盛上がる山型状の凸部１２を複数箇所設けたものである。該ガイドレール１１のガイド溝１３の溝幅は前記凸部１２部分が幅広となっており、溝形状は前記ガイドレール１１の外形形状と略同一となっている。又、山型形状の屈曲のピッチはスラット６の連結ピッチよりも大きくし、シャッタカーテン４が前記ガイドレール１１の凸部に倣って屈曲できる様にする。
【００２０】
前記第２の実施の形態では、前記シャッタカーテン４を降下させ、該シャッタカーテン４の下端が下枠５に当接した後も更に降下させる。前記ガイドレール１１は前記ガイド溝１３が前記凸部１２部分で幅広となっているので、下側の該凸部１２から順次弛んで部分的な屈曲部分が形成される。
【００２１】
前記シャッタカーテン４が完全に閉鎖された状態では、前記ガイドレール１１の全ての前記凸部１２で前記シャッタカーテン４の屈曲部が形成される。該屈曲部に水平方向の荷重が作用した場合、上下方向の力に分散され、見かけ上の剛性が増大する。
【００２２】
従って、前記シャッタカーテン４に外力が作用した場合の該シャッタカーテン４の撓みの発生が抑止される。
【００２３】
又、本第２の実施の形態で、閉鎖状態で該シャッタカーテン４の下端を持上げて該シャッタカーテン４を開こうとすると、前記凸部１２に前記屈曲部が形成されている為、上方の力が該屈曲部を更に屈曲させようとするので、前記シャッタカーテン４を持ち上げることができず該シャッタカーテン４の開放が阻止される。従って、シャッタ１の防犯性能も高まり、シャッタカーテンの施錠装置を省略することも可能である。或は、施錠装置として前記シャッタカーテン４を前記凸部１２に押付ける部材を設けてもよい。
【００２４】
上記した様に、本発明ではガイドレールの形状を変更するだけで、シャッタカーテンの剛性を高められる。
【００２５】
尚、上記実施の形態で前記ガイドレール１１は前記シャッタカーテン４に屈曲部が形成される形状であればよいので、前記ガイド溝１３に形成される凸部は山型状に限らず、該ガイド溝１３に溝の幅広部が形成されればよい。
【００２６】
尚、本発明は横引のシャッタにも実施可能であり、シャッタカーテンがスラットに限らずパネルで構成されたシャッタカーテン等でもよいことは言う迄もない。
【００２７】
【発明の効果】
以上述べた如く本発明によれば、シャッタカーテンをガイドするガイドレールの所要部分に凸部を形成したので、閉鎖状態でのシャッタカーテンの剛性が増大し、シャッタカーテンに外力が作用した場合のシャッタカーテンの撓みを抑制できるという優れた効果を発揮する。
【図面の簡単な説明】
【図１】本発明の第１の実施の形態を示す斜視図である。
【図２】本発明の第１の実施の形態を示す側面図である。
【図３】本発明の第２の実施の形態を示す斜視図である。
【図４】本発明の第２の実施の形態を示す側面図である。
【図５】従来例の斜視図である。
【図６】従来例の側面図である。
【図７】従来例で風圧が作用した場合の作用説明図である。
【符号の説明】
１          シャッタ
３          シャッタケース
４          シャッタカーテン
６          スラット
７          ガイドレール
８          中央部
９          ガイド溝
１１        ガイドレール
１２        凸部
１３        ガイド溝
【図１】
2004308366.tif 000003
【図２】
2004308366.tif 000004
【図３】
2004308366.tif 000005
【図４】
2004308366.tif 000006
【図５】
2004308366.tif 000007
【図６】
2004308366.tif 000008
【図７】
2004308366.tif 000009